(57)【要約】【課題】リブずれが抑止されるベルト組付け治具及びベルト組付け方法を提供する。【解決手段】クランク側プーリ２に進入する直前のベルト５の外周面５Ｂをガイド部１３によって案内する。これにより、クランク側プーリ２に進入する直前のベルト５の捩れが矯正されてベルト５の各リブがクランク側プーリ２の相対する各溝部に向けられるので、ベルト５の組付け時におけるリブずれを抑止することができる。【選択図】図１
2014084953.tif 000002
【特許請求の範囲】
【請求項１】
複数個のプーリにベルトを組付けるための治具であって、
前記複数個のプーリのうちの予め定められたプーリの回転軸を回動中心に回動可能な回動部と、
前記回動部に設けられて前記予め定められたプーリに進入する前記ベルトに当接されるガイド部と、
前記回動部を前記回動中心の回りに一方向へ付勢して、前記ガイド部が前記予め定められたプーリに進入する前記ベルトの外周に押し付けられる付勢機構と、
を有することを特徴とするベルト組付け治具。
【請求項２】
前記予め定められたプーリの回転軸に着脱可能に装着されるソケットと、前記ソケットの外周によって前記回転軸の軸心回りに回転可能に支持されるボス部とを備え、
前記回動部は前記ボス部に支持されており、
前記付勢機構は前記ボス部における前記回動部と反対方向へ延びる位置に設けられるウエイトを有し、
前記付勢機構は、前記ウエイトの重量を利用して前記回動部を前記回動中心の回りに付勢することを特徴とする請求項１に記載のベルト組付け治具。
【請求項３】
前記ガイド部は、前記予め定められたプーリの溝部に対向するガイド面を有し、
前記ガイド面は、前記予め定められたプーリの外側のフランジから内側のフランジに向けて前記プーリとの対向間隔が大きくなるように傾斜したテーパ面であることを特徴とする請求項１または２に記載のベルト組付け治具。
【請求項４】
前記請求項１−３のいずれかに記載のベルト組付け治具を用いて複数個のプーリにベルトを組付ける方法であって、
前記複数個のプーリのうち、前記予め定められたプーリに進入する前記ベルトが最後に通過するプーリのみを半掛け状態にして全てのプーリにベルトを巻掛けるステップと、
前記予め定められたプーリの回転軸を回動中心に回動可能な回動部を有する前記治具を前記回転軸に装着するステップと、
前記回動部を前記回動中心の回りに一方向へ付勢して、前記回動部に設けられたガイド部を前記予め定められたプーリに進入する前記ベルトの外周に押し付けるステップと、
前記予め定められたプーリを予め定められた方向へ回転させるステップと、
半掛け状態のプーリに前記ベルトが漸次巻掛けられて前記ベルトの張力が増大するのに伴い、前記回動部を前記回動中心の回りに逆方向へ回動させて前記ガイド部を移動させるステップと、
を含むことを特徴とするベルト組付け方法。
【発明の詳細な説明】
【技術分野】
【０００１】
本発明は、複数個のプーリにベルトを組付けるための治具及び方法に関するもので、特に、ストレッチベルトを組付けるための治具及び方法に関する。
【背景技術】
【０００２】
例えば、エンジンの出力軸（クランク軸）に取り付けられたＶリブドプーリ（以下、クランク側プーリ）とウォータポンプの入力軸に取り付けられたＶリブドプーリ（以下、ウォータポンプ側プーリ）とにストレッチベルトを巻掛けることにより、エンジンから出力される動力をウォータポンプへ伝動することができる。周知のように、張力が自律調整されるストレッチベルトを適用した場合、ベルトテンショナ（張力調整装置）が不要となり、エンジンが軽量化されるとともに製造コストを削減することができる。
【０００３】
従来、一定の軸間距離で配置されたクランク側プーリとウォータポンプ側プーリとにストレッチベルト（以下、ベルト）を組付ける場合、まず、クランク側プーリにベルトを全掛けするとともにウォータポンプ側プーリにベルトを半掛けし、この状態で、クランク側プーリを順方向（クランク軸回転方向）へ回転駆動する。これにより、ウォータポンプ側プーリ上のベルトがウォータポンプ側プーリの外側のフランジを漸次乗り越えて内側へ移動する。そして、ウォータポンプ側プーリの溝部とベルトのリブとが全て噛み合った時点でクランク側プーリの回転（駆動）を停止させる。
【０００４】
このようにしてベルトを組付ける場合、ウォータポンプ側プーリからクランク側プーリへ向けて移動するベルトは、クランク側プーリの溝部に対して斜めに進入する、換言すると、外側（作業者目線で手前側）から内側（作業者目線で奥側）へ寄っている。この状態でベルトがクランク側プーリに引き込まれると、ベルトが捩れていることも相俟って、クランク側プーリにベルトのリブずれを生じる虞がある。従来、プーリにベルトを組付けるための治具、方法等が数多く実用化されているが（特許文献１等参照）、全掛けされた側のプーリのベルト組付け時のリブずれを抑止することを主眼に置いたものではない。
【先行技術文献】
【特許文献】
【０００５】
【特許文献１】特許第４１７１５１７号公報
【発明の概要】
【発明が解決しようとする課題】
【０００６】
そこで本発明は、上記事情に鑑みてなされたもので、リブずれが抑止されるベルト組付け治具及びベルト組付け方法を提供することを課題としてなされたものである。
【課題を解決するための手段】
【０００７】
上記課題を解決するために、本発明のベルト組付け治具は、複数個のプーリにベルトを組付けるための治具であって、前記複数個のプーリのうちの予め定められたプーリの回転軸を回動中心に回動可能な回動部と、前記回動部に設けられて前記予め定められたプーリに進入する前記ベルトに当接されるガイド部と、前記回動部を前記回動中心の回りに一方向へ付勢して、前記ガイド部が前記予め定められたプーリに進入する前記ベルトの外周に押し付けられる付勢機構と、を有することを特徴とする。
【０００８】
上記課題を解決するために、本発明のベルト組付け方法は、請求項１−４のいずれかに記載のベルト組付け治具を用いて複数個のプーリにベルトを組付ける方法であって、前記複数個のプーリのうち、前記予め定められたプーリに進入する前記ベルトが最後に通過するプーリのみを半掛け状態にして全てのプーリにベルトを巻掛けるステップと、前記予め定められたプーリの回転軸を回動中心に回動可能な回動部を有する前記治具を前記回転軸に装着するステップと、前記回動部を前記回動中心の回りに一方向へ付勢して、前記回動部に設けられたガイド部を前記予め定められたプーリに進入する前記ベルトの外周に押し付けるステップと、前記予め定められたプーリを予め定められた方向へ回転駆動するステップと、前記ベルトが半掛け状態のプーリに漸次巻掛けられて前記ベルトの張力が増大するのに伴い、前記回動部を前記回動中心の回りに逆方向へ回動させて前記ガイド部を移動させるステップと、を含むことを特徴とする。
【０００９】
（発明の態様）
以下に、本願において特許請求が可能と認識されている発明（以下、請求可能発明と称する）の態様を例示し、例示された各態様について説明する。ここでは、各態様を、特許請求の範囲と同様に、項に区分すると共に各項に番号を付し、必要に応じて他の項の記載を引用する形式で記載する。これは、請求可能発明の理解を容易にするためであり、請求可能発明を構成する構成要素の組み合わせを、以下の各項に記載されたものに限定する趣旨ではない。つまり、請求可能発明は、各項に付随する記載、実施形態の記載等を参酌して解釈されるべきであり、その解釈に従う限りにおいて、各項の態様にさらに他の構成要素を付加した態様も、また、各項の態様から構成要素を削除した態様も、請求可能発明の一態様となり得る。
なお、以下の各項において、（１）〜（４）項の各々が、特許請求の範囲に記載した請求項１〜４の各々に相当する。
【００１０】
（１）複数個のプーリにベルトを組付けるための治具であって、複数個のプーリのうちの予め定められたプーリの回転軸を回動中心に回動可能な回動部と、回動部に設けられて予め定められたプーリに進入するベルトに当接されるガイド部と、回動部を回動中心の回りに一方向へ付勢して、ガイド部が予め定められたプーリに進入するベルトの外周に押し付けられる付勢機構と、を有するベルト組付け治具。
例えば、本項に記載のベルト組付け治具を利用して、一定の軸間距離で配置されたエンジンの出力軸（クランク軸）に取り付けられたＶリブドプーリ（以下、クランク側プーリ）とウォータポンプの入力軸に取り付けられたＶリブドプーリ（以下、ウォータポンプ側プーリ）とにストレッチベルト（以下、ベルト）を組付ける場合、まず、ベルトをクランク側プーリ（予め定められたプーリ）に全掛け状態で巻掛けるとともにウォータポンプ側プーリに半掛け状態で巻掛ける。
なお、ウォータポンプ側プーリは、作業者目線で、クランク側プーリの右斜め上方に位置しているものとする。また、半掛け状態とは、全掛け状態に対してウォータポンプ側プーリの上側部分にのみベルトが巻掛けられた状態、換言すると、ウォータポンプ側プーリの手前側のフランジ（以下、外フランジ）にベルトが引掛けられた状態である。さらに、半掛け状態のベルトのウォータポンプ側プーリからクランク側プーリまでの部分、換言すると、クランク側プーリを時計回り方向（エンジン作動時における回転方向）へ回転させた時にクランク側プーリへ向けて左斜め下方向へ移動される部分は、概して捩れている。
次に、クランク側プーリを回転軸（クランク軸）に固定するためのナット等を利用して、ベルト組付け治具を回転軸に取り付ける。ベルト組付け治具の回動部は、付勢機構によって回転軸の軸線に一致する回動中心の回りに作業者目線で反時計回り方向（一方向）へ付勢されており、これにより、回動部に設けられるガイド部は、クランク側プーリを時計回り方向（エンジン作動時における回転方向）へ回転させた時にクランク側プーリに進入する直前（引き込まれる直前）のベルトの外周（下側の面）に押し付けられる。その結果、プーリへの組付けが完了した状態で発生される張力と比較して小さい張力が作用する半掛け状態のベルトの外周がガイド部によって案内される。これにより、クランク側プーリに進入する直前のベルトの捩れが矯正されて、クランク側プーリに進入する直前のベルトの各リブをクランク側プーリの相対する各溝部に対向させることができる。
この状態でソケットレンチ等の工具を使用してクランク側プーリを時計回り方向へ回転駆動させると、この駆動力がベルトを介してウォータポンプ側プーリへ伝動されてウォータポンプ側プーリが時計回り方向へ回転される。これに伴い、ベルトがウォータポンプ側プーリの外フランジを漸次乗り越えて、ベルトの各リブがウォータポンプ側プーリの相対する各溝部に噛み合わされる。
本項に記載のベルト組付け治具によれば、クランク側プーリに進入する直前のベルトの外周（下側の面）をガイド部によって案内することにより、クランク側プーリに進入する直前のベルトの捩れが矯正されて、ベルトの各リブがクランク側プーリの相対する各溝部に向けられるので、ベルト組付け時におけるリブずれを抑止することができる。また、組付け過程でベルトの張力が増大しても、ベルト張力の増大に伴って回動部が回動してガイド部が（下方向へ）移動されるので、ガイド部によるベルトの押付け力を一定に保持することができるとともに、ベルトのクランク側プーリに進入する直前の部分（リブずれ抑止効果が高い位置）に、ガイド部を常時押し付けることができる。
【００１１】
（２）予め定められたプーリの回転軸に着脱可能に装着されるソケットと、ソケットの外周によって回転軸の軸心回りに回転可能に支持されるボス部とを備え、回動部はボス部に支持されており、付勢機構はボス部における回動部と反対方向へ延びる位置に設けられるウエイトを有し、付勢機構は、ウエイトの重量を利用して回動部を回動中心の回りに付勢する（１）のベルト組付け治具。
本項に記載のベルト組付け治具によれば、ウエイト（おもり）を変えることでガイド部をベルトに押し付ける力を調節することができる。これにより、ウエイトを変えるだけの簡単な操作で、治具を様々な仕様（プーリ径、ベルト張力等）に対応させることが可能である。
本項の態様において、クランク側プーリの回転軸に着脱可能に装着されるソケット部と、ソケット部の外周によって回転軸の軸心回りに回転可能に支持されるボス部と、ボス部からクランク側プーリの半径方向へ延びる第１アーム（回動部）と、ボス部から第１アームの反対側へ延びる第２アームとを含み、第１アームにガイド部を設けるとともに第２アームにウエイトを取り付けて、治具を構成することができる。
【００１２】
（３）ガイド部は、予め定められたプーリの溝部に対向するガイド面を有し、ガイド面は、予め定められたプーリの外側のフランジから内側のフランジに向けてプーリとの対向間隔が大きくなるように傾斜したテーパ面である（１）、（２）のベルト組付け治具。
本項に記載のベルト組付け治具によれば、ガイド面をテーパ面とすることで、クランク側プーリの外フランジ側（作業者目線で手前側）からクランク側プーリに進入するベルトの捩れをより効果的に矯正することができる。また、リブずれは、ベルトがクランク側プーリに対して外フランジ側へずれることで発生するが、クランク側プーリとガイド面（テーパ面）との間隔が外フランジに近づくほど狭くなるので、リブずれの発生をより効果的に抑止することが可能である。
本項の態様において、ガイド部としてテーパピンを適用することにより、ガイド面をテーパ面とすることができる。また、ストレートピンにテーパ面を有する部材を組み合わせてガイド部を構成してもよい。
【００１３】
（４）前記（１）−（３）のベルト組付け治具を用いて複数個のプーリにベルトを組付ける方法であって、複数個のプーリのうち、予め定められたプーリに進入するベルトが最後に通過するプーリのみを半掛け状態にして全てのプーリにベルトを巻掛けるステップと、予め定められたプーリの回転軸を回動中心に回動可能な回動部を有する治具を回転軸に装着するステップと、回動部を回動中心の回りに一方向へ付勢して、回動部に設けられたガイド部を予め定められたプーリに進入するベルトの外周に押し付けるステップと、予め定められたプーリを予め定められた方向へ回転させるステップと、半掛け状態のプーリにベルトが漸次巻掛けられてベルトの張力が増大するのに伴い、回動部を回動中心の回りに逆方向へ回動させてガイド部を移動させるステップと、を含むことを特徴とするベルト組付け方法。
例えば、クランク側プーリとウォータポンプ側プーリとにベルト（ストレッチベルト）を組付ける場合を想定する。
（第１ステップ）
まず、ベルトをクランク側プーリ（予め定められたプーリ）に全掛け状態で巻掛けるとともにウォータポンプ側プーリに半掛け状態で巻掛ける。
（第２ステップ）
次に、クランク側プーリを回転軸（クランク軸）に固定するためのナット等を利用して、ベルト組付け治具を回転軸に取り付ける。ベルト組付け治具の回動部は、付勢機構によって回転軸の軸線に一致する回動中心の回りに作業者目線で反時計回り方向（一方向）へ付勢されており、これにより、回動部に設けられるガイド部は、クランク側プーリを時計回り方向（エンジン作動時における回転方向）へ回転させた時にクランク側プーリに進入する直前（引き込まれる直前）のベルトの外周（下側の面）に押し付けられる。その結果、プーリへの組付けが完了した状態で発生される張力と比較して小さい張力が作用する半掛け状態のベルトの外周がガイド部によって案内される。これにより、クランク側プーリに進入する直前のベルトの捩れが矯正されて、クランク側プーリに進入する直前のベルトの各リブをクランク側プーリの相対する各溝部に対向させることができる。
（第３ステップ）
この状態でソケットレンチ等の工具を使用してクランク側プーリを時計回り方向へ回転駆動させると、この駆動力がベルトを介してウォータポンプ側プーリへ伝動されてウォータポンプ側プーリが時計回り方向へ回転される。
（第４ステップ）
これに伴い、ベルトがウォータポンプ側プーリの外フランジを漸次乗り越えて、ベルトの各リブがウォータポンプ側プーリの相対する各溝部に噛み合わされる。
本項に記載のベルト組付け方法によれば、クランク側プーリに進入する直前のベルトの外周（下側の面）をガイド部によって案内することにより、クランク側プーリに進入する直前のベルトの捩れが矯正されて、ベルトの各リブがクランク側プーリの相対する各溝部に向けられるので、ベルト組付け時におけるリブずれを抑止することができる。また、組付け過程でベルトの張力が増大しても、ベルト張力の増大に伴って回動部が回動されてガイド部が（下方向へ）移動されるので、ガイド部によるベルトの押付け力を一定に保持することができるとともに、ベルトのクランク側プーリに進入する直前の部分（リブずれ抑止効果が高い位置）に、ガイド部を常時押し付けることができる。
【発明の効果】
【００１４】
本発明によれば、複数個のプーリにベルトを組付ける時のリブずれを抑止することができる。
【図面の簡単な説明】
【００１５】
【図１】本実施形態のベルト組付け治具の平面図である。
【図２】図１におけるベルト組付け治具の下面図である。
【図３】ベルトがクランク側プーリに全掛けされるとともにウォータポンプ側プーリに半掛けされた状態を示す図である。
【図４】本実施形態のガイド部の説明図である。
【図５】ガイドピンの作用を説明するための概略図である。
【図６】ウォータポンプ側プーリにベルトが半掛けされた状態を説明するための図である。
【図７】ベルトのクランク側プーリに進入する直前の部分にガイドピンが押し付けられた状態を示す斜視図である。
【図８】ガイド部の他の形態を示す図である。
【図９】ガイド部の他の形態を示す図である。
【図１０】ガイド部の他の形態を示す図である。
【発明を実施するための形態】
【００１６】
本発明の一実施形態を添付した図を参照して説明する。
以下、一定の軸間距離で配置されたエンジン１の出力軸（クランク軸）に取り付けられたＶリブドプーリ２（以下、クランク側プーリ２）とウォータポンプ３の入力軸に取り付けられたＶリブドプーリ４（以下、ウォータポンプ側プーリ４）とにストレッチベルト５（以下、ベルト５）を組付けるためのベルト組付け治具６（以下、治具６）及び方法を説明する。
【００１７】
なお、クランク側プーリ２及びウォータポンプ側プーリ４並びにベルト５は、市販のＶリブドプーリ並びにストレッチベルトがそのまま使用される。ここでは、明細書の記載を簡潔にするため、クランク側プーリ２及びウォータポンプ側プーリ４並びにベルト５の詳細な説明を省略する。また、図３に示されるように、ウォータポンプ側プーリ４は、エンジン１の正面視（作業者目線）で、クランク側プーリ２（予め定められたプーリ）の右斜め上方に一定の軸間距離を有して配置されるものとする。
【００１８】
図１及び図２に示されるように、治具６は、クランク側プーリ２をクランク軸に固定するためのナット７に着脱可能に装着されるソケット部８と、ソケット部８の外周に嵌合されてソケット部８によってクランク軸の軸線（以下、軸線）の回りに回転可能に支持されるボス部９と、ソケット部８の内周面とボス部９の外周面との間に介装されるすべり軸受１０と、ボス部９にボルト１１によって固定される第１アーム１２（回動部）と、第１アーム１２の内側の面１２Ａに取り付けられるガイド部１３と、第１アーム１２を軸線回りに図１における反時計回り方向へ付勢する付勢機構と、によって構成される。
【００１９】
ソケット部８は、ソケットレンチ１７（図２参照）のソケットをベルト組付け治具６に適用したものであり、その基本構造はソケットレンチ１７のソケットと同一である。すなわち、ソケット部８は略円筒形に形成されており、ソケット部８のフランジが形成された図２における下側の端部にはナット７を嵌合させるためのナット嵌合部１８が形成されるとともに図２における上側の端部にはソケットレンチ１７の操作部１９（ハンドル）の略四角柱形状の軸を嵌合させるための工具接続部２０が形成される。なお、図２において符号２１で示されるのは、操作部１９の軸の側面に形成された凹部に係合させるためのプランジャ２１である。
【００２０】
図２及び図４に示されるように、ガイド部１３は、固定用のねじ軸２２を有するガイドピン２３（ストレートピン）と、ねじ軸２２が挿通される挿通穴２４が形成されたガイドブロック２５とを含む。ガイドブロック２５の下部（図４における下側部分）の作業者目線で外側（以下、外側）には、第１アーム１２の先端部に係合させるための切欠部２６が形成される。
【００２１】
また、ガイドブロック２５の上部（図４における上側部分）の作業者目線で内側（以下、内側）には、ベルト５の図３において下側に張られた部分の外側の端面５Ａ、換言すると、クランク側プーリ２を順方向（図１における時計回り方向）へ回転させた時にウォータポンプ側プーリ４からクランク側プーリ２に向けて移動するベルト５の外側の端面５Ａ、詳細には、クランク側プーリ２に進入する直前のベルト５の外側の端面５Ａを、クランク側プーリ２の外側のフランジ２Ａ（以下、外フランジ２Ａ）の外側から内側へ向けて案内する傾斜面２８が形成される。なお、図４に示されるように、ガイドブロック２５の斜面２８と上端面２５ＡとはＲ形状部２９を介して接続される。
【００２２】
ガイドピン２３は、ガイドブロック２５の内側２５Ｂ、すなわち、斜面２８の図４における下方に立設される。また、ガイドピン２３は、ベルト組付け治具６がクランク軸（ナット７）に装着された状態で水平に配置されるとともに、図５に示されるように、外周面３０（ガイド面）とクランク側プーリ２の溝部３１との間に一定の間隔を有して配置される。なお、ガイドピン２３及びガイドブロック２５は、ねじ軸２２に螺合されるナット３２によって第１アーム１２に固定される。
【００２３】
付勢機構は、ボス部９にボルト１４によって固定される第２アーム１５と、第２アーム１５に取り付けられるウエイト１６と、によって構成される。図１に示されるように、第２アーム１５は、第１アーム１２の反対側（図１における左側）へ延びるとともに、ガイドピン２３がベルト５の外周面５Ｂに当接された状態で略水平となるように配置される。ウエート１６は、円板形に形成されており、第２アーム１５の先端部を内外方向（図２における上下方向）へ貫通するストリッパボルト３３によって支持される。
【００２４】
次に、前述したベルト組付け治具６を使用してクランク側プーリ２（予め定められたプーリ）とウォータポンプ側プーリ４とにベルト５（ストレッチベルト）を組付ける方法を説明する。
【００２５】
（第１ステップ）
まず、図３に示されるように、ベルト５をクランク側プーリ２に全掛け状態で巻掛けるとともにウォータポンプ側プーリ４（予め定められたプーリに進入するベルトが最後に通過するプーリ）に半掛け状態で巻掛ける。なお、半掛け状態とは、ウォータポンプ側プーリ４の上側部分にのみベルトが巻掛けられた状態、換言すると、ウォータポンプ側プーリ４の外フランジ４Ａの上部にベルト５が引掛けられた状態である（図６参照）。
【００２６】
（第２ステップ）
次に、ソケット部８をナット７に装着して、ベルト組付け治具６をクランク軸（回転軸）に取り付ける。この状態では、付勢機構のウエイト１６の重量によってもたらされるボス部９の軸線回りの軸トルクによって、第１アーム１２が図１における反時計回り方向へ付勢される。これにより、ガイドピン２３は、ベルト５の図３において下側に張られた部分、換言すると、クランク側プーリ２を順方向（図１における時計回り方向）へ回転させた時にウォータポンプ側プーリ４からクランク側プーリ２に向けて移動する部分、詳細には、クランク側プーリ２を順方向へ回転させた時にクランク側プーリ２に進入する直前のベルト５の外周面５Ｂに押し付けられる（図７参照）。
【００２７】
その結果、図５に示されるように、クランク側プーリ２に進入する直前のベルト５の捩れが矯正されて、クランク側プーリ２に進入する直前のベルト５の各リブ３４をクランク側プーリ２の相対する各溝部３１に対向させることができる。なお、本実施形態では、ベルト５にガイドピン２３を押し付ける力（以下、押付け力）は３．９Ｎである。また、押付け力は、ウエイト１６の重量、ウエイト１６の軸心からの水平距離等によって調節することができる。
【００２８】
（第３ステップ）
この状態で、ソケット部８の工具接続部２０にソケットレンチ１７の操作部１９の軸を嵌合させて、操作部１９を操作してクランク側プーリ２を順方向へ回転させる。これにより、クランク側プーリ２の回転力がベルト５を介してウォータポンプ側プーリ４へ伝動されて、ウォータポンプ側プーリ４が順方向（図１における時計回り方向）へ回転駆動される。
【００２９】
（第４ステップ）
ウォータポンプ側プーリ４が順方向へ回転するのに伴い、ベルト４がウォータポンプ側プーリ４の外フランジ４Ａを漸次乗り越えて、ベルト５の各リブ３４がウォータポンプ側プーリ４の相対する各溝部３５に噛み合わされる。
【００３０】
そして、本実施形態では、ベルト組付け時に、クランク側プーリ２に進入する直前のベルト５の外側の端面５Ａが、ガイド部１３のガイドブロック２５の傾斜面２８によって、クランク側プーリ２の外フランジ２Ａの外側から内側へ向けて案内される。同時に、クランク側プーリ２に進入する直前のベルト５の外周面５Ｂが、ガイド部１３のガイドピン２３の外周面３０（ガイド面）によって案内される。これにより、クランク側プーリ２に進入する直前のベルト５の捩れが矯正されて、図５に示されるように、ベルト５の各リブ３４は、クランク側プーリ２の相対する各溝部３１に向けて案内される。
【００３１】
ここで、ベルト５の張力は、半掛け状態のベルト５がウォータポンプ側プーリ４の外フランジ４Ａを乗り越えて外フランジ４Ａの外側から内側へ（図２における下方向へ）移動するのに伴い増大される。本実施形態では、ベルト５の張力が増大するに伴いガイドピン２３がベルト５によって押し戻されることにより、第１アーム１２（回動部）が軸線回りに時計回り方向（逆方向）へ回動される。その結果、ガイドピン２３は、図１における下方向へ移動されるため、常時、ベルト５のクランク側プーリ２に進入する直前の部分に押し付けられる。
【００３２】
この実施形態では以下の効果を奏する。
本実施形態によれば、クランク側プーリ２（予め定められたプーリ）に進入する直前のベルト５（ストレッチベルト）の外周面５Ｂをガイド部１３、すなわち、ガイドブロック２５の傾斜面２８とガイドピン２３の外周面３０とによって案内することにより、クランク側プーリ２に進入する直前のベルト５の捩れが矯正されてベルト５の各リブ３４がクランク側プーリ２の相対する各溝部３１に向けられるので、ベルト５の組付け時におけるリブずれを抑止することができる。
また、組付け過程でベルト５の張力が増大しても、ベルト５の張力の増大に伴って第１アーム１２（回動部）が回動してガイド部１３が下方向へ移動されるので、ガイドピン２３によるベルト５の押付け力を一定に保持することができるとともに、ベルト５のクランク側プーリ２に進入する直前の部分、すなわち、リブずれ抑止効果が高い位置を、ガイド部１３によって常時押し付けることができる。
【００３３】
なお、実施形態は上記に限定されるものではなく、例えば、次のように構成することができる。
図８に示されるように、ガイドブロック２５を使用しないでガイドピン２３のみでガイド部１３を構成することができる。
図９に示されるように、ガイドピン２３としてテーパピン２３Ａを使用することができる。この場合、ベルト５のリブ３４をリブずれ抑止効果がより高いクランク側プーリ２の内フランジ２Ｂ側へ向けることができる。
図１０に示されるように、図９のテーパピン２３Ａと比較して大径のストレート部３６と傾斜角度が大きいテーパ部３７とを有するガイドピン２３Ｂを使用することができる。
【００３４】
本実施形態では、ウエイト１６によって押付け力を発生させるように付勢機構を構成したが、ねじりコイルばねのばね力によって押付け力を発生させるように付勢機構を構成することができる。なお、ねじりコイルばねを利用して付勢力を発生させる技術は周知であるので、ここでは詳細な説明を省略する。
【００３５】
また、本実施形態では、クランク側プーリ２とウォータポンプ側プーリ４との２個のプーリにベルト５を組付ける場合を説明したが、前述したベルト組付け治具６及びベルト組付け方法は、３個以上の複数個のプーリへのベルト５の組付けにを適用することができる。このような複数個のプーリへの適用は、当業者であれば容易に実施可能である。
例えば、各々の回転中心が三角形の頂点上に位置する３個のプーリにベルトを組付ける場合、ベルトを巻掛けるステップでは、動力を発生する、すなわち、出力軸（回転軸）に取り付けられた第１プーリ（予め定められたプーリ）を順方向へ回転させた時に、第１プーリに進入するベルトが最後に通過するプーリのみを半掛け状態にして全てのプーリにベルトを巻掛ける。つまり、ベルト上の定点が、第１プーリの回転に伴うベルトの無端軌道運動によって、第１プーリから第２プーリ、第３プーリを経由して再び第１プーリに戻るように移動する場合、第１プーリに進入するベルトが最後に通過するプーリとは第３プーリを指す。この場合、ベルト組付け治具６を第１プーリの出力軸（回転軸）に装着する。
【符号の説明】
【００３６】
２  クランク側プーリ（予め定められたプーリ）、４  ウォータポンプ側プーリ（予め定められたプーリに進入する前記ベルトが最後に通過するプーリ）、５  ベルト、６  ベルト組付け治具、１２  第１アーム（回動部）、１３  ガイド部、１５  第２アーム（付勢機構）、１６  ウエイト（付勢機構）、３０  外周面（ガイド面）
【図１】
2014084953.tif 000003
【図２】
2014084953.tif 000004
【図３】
2014084953.tif 000005
【図４】
2014084953.tif 000006
【図５】
2014084953.tif 000007
【図６】
2014084953.tif 000008
【図７】
2014084953.tif 000009
【図８】
2014084953.tif 000010
【図９】
2014084953.tif 000011
【図１０】
2014084953.tif 000012